(57)【要約】【課題】会議設定のための予定調整から会議室予約および受付までの一連の手続きに伴う担当者および来訪者の手続負担を軽減し、スケジュールおよび受付の管理の効率化を図ることができる。【解決手段】受付管理装置は、会議予約情報と、担当者と担当者を来訪する来訪者との対応付けを含む訪問予約情報を記憶する記憶部と、担当者のスケジュール情報を取得する取得部と、来訪者へのデータの送信先情報と、会議の設定候補となる候補日時の入力を受け付ける受付部と、候補日時を含む日程調整の依頼情報を生成する生成部と、依頼情報を来訪者の送信先情報が示す送信先に送信する送信部と、依頼情報に含まれる候補日時における会議の予約を確定する旨の確定通知を受信する受信部と、確定通知が示す候補日時における会議室予約情報が示す空き会議室を予約登録するとともに、スケジュール情報および訪問予約情報を更新する受付処理部を備える。【選択図】図２
2020003941.tif 000002
【特許請求の範囲】
【請求項１】
複数の端末と、ユーザのスケジュールおよび来訪者の受付処理を管理する受付管理装置とがネットワークを介して接続された受付管理システムであって、
前記受付管理装置は、
会議室の予約状況を示す会議室予約情報と、前記担当者と前記担当者を来訪する来訪者との対応付けを含む訪問予約情報を記憶する記憶部と、
前記担当者のスケジュールを示すスケジュール情報を取得する取得部と、
前記担当者の端末から、会議の招集対象者となる来訪者の端末へのデータの送信先情報と、会議の設定候補となる候補日時の入力を受け付ける受付部と、
前記受付部により受け付けられた候補日時を含む日程調整の依頼を示す依頼情報を生成する生成部と、
前記生成部により生成された依頼情報を、前記送信先情報が示す送信先に送信する送信部と、
前記送信部により送信された依頼情報に含まれる候補日時における会議の設定を確定する旨の確定通知を受信する受信部と、
前記受信部により前記確定通知を受信した場合に、当該確定通知が示す候補日時における前記会議室予約情報が示す空き会議室を予約登録するとともに、前記担当者のスケジュール情報および前記訪問予約情報を更新する受付処理部と、
を備えたことを特徴とする受付管理システム。
【請求項２】
前記受付処理部は、前記受信部により前記確定通知を受信した場合に、来訪時における受付処理に関する受付情報を生成し、
前記送信部は、前記受付処理部により生成された受付情報を前記確定通知とともに前記送信先情報が示す送信先に送信すること、
を特徴とする請求項１に記載の受付管理システム。
【請求項３】
前記受付管理システムは、受付端末をさらに含み、
前記受付端末は、
前記受付情報の入力を受け付ける受付部と、
前記受付部により前記受付情報の入力が受け付けられた場合に、前記ユーザの端末および前記受付管理装置に前記来訪者の来訪を示す来訪メッセージを送信する送信部と、
を備えること、
を特徴とする請求項２に記載の受付管理システム。
【請求項４】
前記受付管理装置は、
前記受付端末から、前記来訪メッセージを受信する来訪メッセージ受信部、
をさらに備え、
前記受付処理部は、前記訪問予約情報が示す予約時間を所定時間経過した時点で、前記来訪メッセージ受信部から前記来訪メッセージを受信しない場合に、前記会議室予約情報に登録されている会議室の予約をキャンセル処理すること、
を特徴とする請求項３に記載の受付管理システム。
【請求項５】
前記受付管理装置の前記受付部は、前記担当者の端末から、会議の招集対象者となる来訪者の端末へのデータの送信先情報と、会議主催者として当該担当者を含む複数の担当者の識別情報の入力を受け付け、
前記受付管理装置は、
前記受付部により複数の担当者の識別情報の入力を受け付けた場合に、前記複数の担当者の識別情報が示す担当者全てに共通してスケジュールの予約が入っていない候補日時を抽出する抽出部、
をさらに備え、
前記生成部は、前記抽出部により抽出された候補日時を含む日程調整の依頼を示す依頼情報を生成すること、
を特徴とする請求項１〜４のいずれか１つに記載の受付管理システム。
【請求項６】
前記受付管理装置の前記受付部は、前記担当者の端末から、複数の来訪者の端末へのデータの送信先情報の入力を受け付け、
前記受付管理装置の前記送信部は、前記生成部により生成された依頼情報へのアクセス情報を、前記送信先情報が示す送信先に送信し、
前記受付管理装置の前記受信部は、前記複数の来訪者の端末から順次、前記依頼情報に含まれる候補日時の中から選択された複数の希望の候補日時を示す希望候補通知を受信し、
前記生成部は、前記受信部により前記希望候補通知を受信した場合に、前記依頼情報が示す候補日時のうち前記希望候補日時に含まれない候補日時を削除し、
前記受付処理部は、前記受信部により、前記複数の来訪者の端末のうち最後に前記アクセス情報にアクセスした端末から、一の候補日時を含む前記確定通知を受信した場合に、当該確定通知が示す候補日時における前記会議室予約情報が示す空き会議室を予約登録するとともに、前記担当者のスケジュール情報および前記訪問予約情報を更新すること、
を特徴とする請求項１〜５のいずれか１つに記載の受付管理システム。
【請求項７】
前記受付管理装置の前記受付部は、前記来訪者の端末が、前記受付管理システムのユーザの端末である場合に、前記担当者の端末から、前記来訪者の識別情報の入力を受け付け、
前記取得部は、前記担当者および前記来訪者のスケジュール情報を複数取得し、
前記生成部は、前記取得部により取得されたスケジュール情報に基づいて候補日時を含む日程調整の依頼を示す依頼情報を生成すること、
を特徴とする請求項１〜６のいずれか１つに記載の受付管理システム。
【請求項８】
前記送信部は、前記受付部により受け付けられた候補日時の表示情報にアクセス可能なリンク情報を前記送信先情報が示す送信先に送信すること、
を特徴とする請求項１〜７のいずれか１つに記載の受付管理システム。
【請求項９】
複数の端末と、ネットワークを介して接続された前記端末のユーザのスケジュールおよび来訪者の受付処理を管理する受付管理装置であって、
会議室の予約状況を示す会議室予約情報と、前記担当者と前記担当者を来訪する来訪者との対応付けを含む訪問予約情報を記憶する記憶部と、
前記ユーザである担当者のスケジュールを示すスケジュール情報を取得する取得部と、
前記担当者の端末から、会議の招集対象者となる来訪者の端末へのデータの送信先情報と、会議の設定候補となる候補日時の入力を受け付ける受付部と、
前記受付部により受け付けられた候補日時を含む日程調整の依頼情報を生成する生成部と、
前記生成部により生成された依頼情報を、前記送信先情報が示す送信先に送信する送信部と、
前記送信部により送信された依頼情報に含まれる候補日時における会議の予約を確定する旨の確定通知を受信する受信部と、
前記受信部により前記確定通知を受信した場合に、当該確定通知が示す候補日時における前記会議室予約情報が示す空き会議室を予約登録するとともに、前記担当者のスケジュール情報および前記訪問予約情報を更新する受付処理部と、
を備えたことを特徴とする受付管理装置。
【請求項１０】
複数の端末とネットワークを介して接続された前記端末のユーザのスケジュールおよび来訪者の受付処理を管理する受付管理装置においてユーザのスケジュールを管理する受付管理方法であって、
会議室の予約状況を示す会議室予約情報と、前記担当者と前記担当者を来訪する来訪者との対応付けを含む訪問予約情報を記憶部に保存する記憶ステップと、
前記ユーザである担当者のスケジュールを示すスケジュール情報を取得する取得ステップと、
前記担当者の端末から、会議の招集対象者となる来訪者の端末へのデータの送信先情報と、会議の設定候補となる候補日時の入力を受け付ける受付ステップと、
前記受付ステップにより受け付けられた候補日時を含む日程調整の依頼情報を生成する生成ステップと、
前記生成ステップにより生成された依頼情報を、前記送信先情報が示す送信先に送信する送信ステップと、
前記送信ステップにより送信された依頼情報に含まれる候補日時における会議の予約を確定する旨の確定通知を受信する受信ステップと、
前記受信ステップにより前記確定通知を受信した場合に、当該確定通知が示す候補日時における前記会議室予約情報が示す空き会議室を予約登録するとともに、前記担当者のスケジュール情報および前記訪問予約情報を更新する受付処理ステップと、
を含むことを特徴とする受付管理方法。
【請求項１１】
複数の端末とネットワークを介して接続された前記端末のユーザのスケジュールおよび来訪者の受付処理を管理する受付管理装置に、
会議室の予約状況を示す会議室予約情報と、前記担当者と前記担当者を来訪する来訪者との対応付けを含む訪問予約情報を記憶部に保存する記憶機能と、
前記ユーザである担当者のスケジュールを示すスケジュール情報を取得する取得機能と、
前記担当者の端末から、会議の招集対象者となる来訪者へのデータの送信先情報と、会議の設定候補となる候補日時の入力を受け付ける受付機能と、
前記受付機能により受け付けられた候補日時を含む日程調整の依頼情報を生成する生成機能と、
前記生成機能により生成された依頼情報を、前記送信先情報が示す送信先に送信する送信機能と、
前記送信機能により送信された依頼情報に含まれる候補日時における会議の予約を確定する旨の確定通知を受信する受信機能と、
前記受信機能により前記確定通知を受信した場合に、当該確定通知が示す候補日時における前記会議室予約情報が示す空き会議室を予約登録するとともに、前記担当者のスケジュール情報および前記訪問予約情報を更新する受付処理機能と、
を実現させることを特徴とする受付管理プログラム。
【発明の詳細な説明】
【技術分野】
【０００１】
この発明は、受付管理システム、受付管理装置、受付管理方法および受付管理プログラムに関する。
【背景技術】
【０００２】
従来、業務上の担当者が関係者間において会議や面談を設定し、実際に会議や面談を行うには、日程調整、会議室予約、来社受付案内などの複数の手続きや作業が必要となっている。例えば、日程調整については、一方の当事者がスケジュールを複数提示し、他方の当事者が提示された中から一または複数を選択し、最終的な日時を相互に決定した上で確認を取るという手順が踏まれている。また、決定した会議日時に空いている会議室を検索した上で予約したり、会議日時には来訪者の入館手続きを事前に準備したりする作業が発生している。
【０００３】
このような手順による場合、日程調整については、自己のスケジュール帳からスケジュールを抽出する作業、連絡の文章を作成する作業、メールを複数回にわたって送受信する作業、さらに、決定した日時をスケジュール帳に登録する作業などが必要となる。また、日程調整に加えて、上記の会議室予約や案内に関する手続きが発生するため、会議の設定から会議開始までの作業が煩雑となっている。このため、担当者の本来の業務が中断されたり、調整作業を行うスタッフを別途要し人件費が増大したりするなどの問題が生じている。
【０００４】
そこで、アポイントメントの調整作業の効率を向上する方法が複数提案されている。例えば、電子メールに複数のスケジュール情報が含まれている場合に、メッセージを分析して各スケジュール情報を項目に分けた一覧を作成し、利用者に登録すべきスケジュール情報を選択させ、受付管理を支援するツールに、自動的に登録するスケジュール登録支援システムが開示されている（特許文献１参照）。
【先行技術文献】
【特許文献】
【０００５】
【特許文献１】特開２００９−９３５０３号公報
【発明の概要】
【発明が解決しようとする課題】
【０００６】
しかしながら、特許文献１による方法では、スケジュール登録支援システムのユーザにとっては効率が図られるが、当該スケジュール登録支援システムのユーザではない相手方にとっては従来と同様の諸々の作業が必要となる。
【０００７】
そこで、本発明は、予定調整から受付までの一連の手続きに伴うユーザおよび当該ユーザを訪問する社外関係者の手続負担を軽減し、スケジュールおよび受付の管理の効率化を図ることができる受付管理システム、受付管理装置、受付管理方法および受付管理プログラムを提供することを目的とする。
【課題を解決するための手段】
【０００８】
上記課題を解決するため、本発明に係る受付管理システムは、複数の端末と、ユーザのスケジュールを管理する受付管理装置とがネットワークを介して接続された受付管理システムであって、受付管理装置は、ユーザである担当者のスケジュールを示すスケジュール情報と、会議室の予約状況を示す会議室予約情報と、担当者と担当者を来訪する来訪者との対応付けを含む訪問予約情報を記憶する記憶部と、ユーザの端末から、会議の招集対象者となる来訪者へのデータの送信先情報と、会議の設定候補となる候補日時の入力を受け付ける受付部と、受付部により受け付けられた候補日時を含む日程調整の依頼を示す依頼情報を生成する生成部と、生成部により生成された依頼情報を、来訪者の送信先情報が示す送信先に送信する送信部と、送信部により送信された依頼情報に含まれる候補日時における会議の予約を確定する旨の確定通知を受信する受信部と、受信部により確定通知を受信した場合に、当該確定通知が示す候補日時における前記会議室予約情報が示す空き会議室を予約登録するとともに、担当者のスケジュール情報および訪問予約情報を更新する受付処理部と、を備える。
【発明の効果】
【０００９】
本発明によれば、会議設定のための予定調整から会議室予約および受付までの一連の手続きに伴うユーザおよび来訪者の手続負担を軽減し、スケジュールおよび受付の管理の効率化を図ることができる。
【図面の簡単な説明】
【００１０】
【図１】本発明の実施の形態に係る受付管理システムの構成を示すシステム図である。
【図２】本発明の実施の形態に係る受付管理装置の機能構成例を示すブロック図である。
【図３】本実施形態における会議室予約情報の一例を示す図（ａ）および本実施形態における訪問予約情報の一例を示す図（ｂ）である。
【図４】本発明の実施の形態に係るスケジュール情報の入力画面例である。
【図５】本発明の実施の形態に係る他のスケジュール情報の入力画面例である。
【図６】本発明の実施の形態に係る候補日時の確認画面の一例を示す図である。
【図７】本発明の実施の形態に係る日程調整の依頼情報の表示画面例を示す図である。
【図８】本発明の実施の形態に係る日程調整の確定画面の一例を示す図である。
【図９】本発明の実施の形態に係る日程の確定通知画面の一例を示す図である。
【図１０】本発明の実施の態様に係る担当者端末の機能構成の一例を示すブロック図である。
【図１１】本発明の実施の形態に係る受付端末の機能構成の一例を示すブロック図である。
【図１２】本発明の実施の形態に係る受付端末において表示される画面例を示す画面図である。
【図１３】本発明の実施の形態に係る受付管理装置と、担当者端末と、顧客端末とによる会議日時の調整処理の流れを示すシーケンス図である。
【図１４】本発明の実施の形態に係る受付管理装置と、担当者端末と、顧客端末とによる会議日時の調整処理の流れを示すシーケンス図である。
【図１５】本発明の実施の形態に係る受付管理装置を実現可能なコンピュータの一例を示すハードウェア構成図である。
【発明を実施するための形態】
【００１１】
図１は、本発明の実施の形態に係る受付管理システムの構成を示すシステム図である。図１に示すように、受付管理システム１は、スケジュール管理サーバ１００ａおよび１００ｂ（以下、特に明示する場合を除きスケジュール管理サーバ１００と総称する。）と、受付管理装置２００、担当者端末３００ａ、３００ｂ、受付端末４００、端末５００ａ、５００ｂを含む。なお、図１において、担当者端末３００ａおよび来訪者端末５００ａとしてＰＣ（Ｐｅｒｓｏｎａｌ  Ｃｏｍｐｕｔｅｒ）を、担当者端末３００ｂおよび来訪者端末５００ｂとして携帯端末を図示するように、これらの端末はいずれであってもよい。本実施形態において、特に明示する場合を除き、担当者端末３００ａ、３００ｂを担当者端末３００と、来訪者端末５００ａ、５００ｂを来訪者端末５００と総称する。また、担当者端末３００は、本発明におけるユーザの端末に相当する。受付管理装置２００は、ネットワーク１０を介し担当者端末３００、受付端末４００、来訪者端末５００と接続される。なお、本実施の形態において、担当者とは、来訪者を担当する担当者であり、来訪者とは、外部の会社などから担当者を来訪する者である。
【００１２】
スケジュール管理サーバ１００は、ユーザのスケジュール情報を管理するサーバである。スケジュール管理サーバ１００は、ユーザのアカウント情報を記憶し、ユーザが任意の他のユーザとのカレンダーの連携を希望した場合に、複数のユーザ間で各ユーザのスケジュール情報を相互に閲覧や入力可能に連携させることも可能である。例えば、上記の連携機能により、スケジュール管理サーバ１００は、上記の連携機能により、担当者端末３００や来訪者端末５００により登録されているアカウント情報のアクセス権限を受付管理装置２００に付与する。これにより、受付管理装置２００は、担当者端末３００や来訪者端末５００のユーザのスケジュール情報を取得することが可能となる。なお、スケジュール管理サーバ１００は、スケジュール管理サーバ１００が提供するカレンダーのアプリケーションをユーザが携帯端末にインストールすることで携帯端末においてもカレンダー機能を容易に活用することができるものである。また、図１において、スケジュール管理サーバ１００は、スケジュール管理サーバ１００ａと１００ｂの２台を図示したが、受付管理装置２００と連携可能なサーバであればよく、これに限定されず、複数であってもよい。
【００１３】
受付管理装置２００は、本発明におけるユーザである担当者のスケジュールを管理し、会議や面談など（以下、特に明示する場合を除き、会議と総称する。）の日程調整を処理し、確定した日程調整における来訪者の来社受付を管理したりするシステムである。
【００１４】
受付端末４００は、企業の入り口付近等に備えられる、来訪者が訪問受付の際に受付管理システムに対して操作する端末装置であり、具体的な機器は、タブレット端末、携帯端末、スマートフォン、ＰＣ、その他の電子機器であってもよい。
【００１５】
なお、図１において、説明を簡単にするために、受付管理装置２００、担当者端末３００、受付端末４００、来訪者端末５００の台数は各１台または２台を示してあるが、これに限定されない。
【００１６】
ネットワーク１０は、ＩＰネットワークであれば無線でも有線であってもよく、例えば、無線による通信であれば、担当者端末３００は、無線ＬＡＮアクセスポイント（図示せず）にアクセスし、ＬＡＮやＷＡＮを介して受付管理装置２００と通信してもよい。また、ネットワーク１０は、これらの例に限られず、例えば、公衆交換電話網やブルートゥース（Ｂｌｕｅｔｏｏｔｈ（登録商標））、光回線、ＡＤＳＬ回線、衛星通信網などであってもよい。
【００１７】
図２は、本発明の一実施態様における受付管理装置２００の機能構成例を示すブロック図である。図２に示すように、受付管理装置２００は、制御部２１０と、通信部２２０と、記憶部２３０とを備える。
【００１８】
記憶部２３０は、スケジュール情報データベース２３１と、会議室予約情報データベース２３２と、訪問予約情報データベース２３３とを記憶する。
【００１９】
スケジュール情報データベース２３１は、スケジュール情報を格納する。ここで、スケジュール情報とは、受付管理システム１のユーザのスケジュールに関する情報であり、スケジュール管理サーバ１００から取得されたスケジュール情報である。なお、本実施形態では、スケジュール情報データベース２３１に、スケジュール管理サーバ１００から取得されたスケジュール情報が格納される構成とすることでスケジュール情報をバックアップ可能となるが、受付管理装置２００はスケジュール情報データベース２３１を備えず、スケジュール管理サーバ１００に記憶されているスケジュール情報に対してダイレクトに登録や更新を行うこととしてもよい。この場合、受付管理システム１においても、担当者端末３００や来訪者端末５００において使用されてきたカレンダー機能をそのまま使用できるため、新規のカレンダーシステムをインストールする必要がなく、受付管理システム１との連携が利便性の高いものとなる。
【００２０】
また、他の例として、スケジュール情報データベース２３１が格納するスケジュール情報は、スケジュール管理サーバ１００と別個に受付管理装置２００において管理されるスケジュール情報である構成としてもよい。この場合、スケジュール管理サーバ１００のシステム障害や外部攻撃による情報漏洩に影響されることがない。
【００２１】
また、スケジュール情報には、会議名や会議室名など予定を示すタイトルに日時が対応付けられている。図４は、本実施形態における日程調整の入力画面例であり、日程調整に必要なデータの入力フォームがスケジュール情報を示すスケジュール画面と同一画面上に表示されている。図４に示すスケジュール画面では、スケジュール情報として、会議室名が、日付および曜日と、１時間刻みの時刻とが表示されたカレンダー上に表示されており、各会議室における予定と当該予定の日時が対応付けられている。
【００２２】
会議室予約情報データベース２３２は、会議室予約情報を格納する。ここで、会議室予約情報とは、会議室名に、会議や面談、打ち合わせなどの予定を示す予定名と、会議室の使用日時と、予約した担当者名とが対応付けられた情報である。図３(ａ)は、本実施形態における会議室予約情報の一例を示す図である。図３（ａ）では、日付「２０１８／６／１」に、会議室名「会議室１」、「会議室２」、「会議室３」と、時間帯「８：００」、「９：００」、「１０：００」が示されたフォーマット上に、予約済みの会議名「Ａ社会議」と担当者名「担当者Ｘ」とが登録されている。
【００２３】
訪問予約情報データベース２３３は、訪問予約情報を格納する。ここで、訪問予約情報とは、来訪者と担当者との対応付けを含む来訪者の訪問予約の内容を示す情報であり、具体的には、受付コード、予約日時、会社名、来訪者、訪問目的、会議室名などを含んだテーブルで構成される。ここで、会議室名は、会議室予約情報と紐づいている。また、受付コードとは、訪問受付の入力時に入力されることにより来訪者の訪問受付を識別するコードである。図３（ｂ）は、本実施形態における訪問予約情報の一例を示す図である。図３（ｂ）に示すように、訪問予約情報は、受付コード、予約日時、会社名、来訪者、訪問目的などを含んだテーブルで構成される。訪問予約情報は、訪問予約を一意に識別する「訪問予約ＩＤ」、訪問受付の入力時に入力して識別する「受付コード」、訪問予約情報が登録された日時を示す「登録日時」、訪問予約の日時を示す「予約日時」、来訪者の会社名を示す「会社名」、来訪者を示す「来訪者」、対応する受付画面の操作ボタンを示す「ボタン種別」、来訪者への応対状態を示す「応対状態」、受付の状態を示す「状態」、来訪者の人数を示す「来訪人数」、担当者を示す「担当者」、使用する会議室を示す「会議室」、来訪者の訪問目的を示す「訪問目的」、担当者の現在位置を示す「現在位置」、担当者の通知・応答入力の内容及び状況を示す「通知・応答状況」等のフィールドを含んで構成してもよい。また、図３（ａ）に示すように、フォロー情報として訪問予約情報に対応付けて（紐づけて）応答フォローを示す「アラート」等のフィールドを含んで構成してもよい。
【００２４】
制御部２１０は、受付部２１１と、取得部２１２と、抽出部２１３と、生成部２１４と、受付処理部２１５と、入出力制御部２１６と、送受信部２１７とを備え、受付管理装置２００の各機能部を制御する機能を有するプロセッサである。なお、送受信部２１７は、本発明における送信部、受信部、来訪メッセージ受信部に相当する。
【００２５】
受付部２１１は、担当者端末３００や、来訪者端末５００から各種データの入力や指示を受け付ける。例えば、受付部２１１は、会議の招集対象者となる来訪者のメールアドレスと、会議の設定候補となる候補日時の入力を受け付ける。ここで、受付部２１１は、来訪者のメールアドレスの数は、来訪者の人数に応じた数を、また、会議主催者としてユーザを含む単数または複数の担当者の識別情報の入力を受け付ける。なお、本実施形態では、来訪者のメールアドレスを一例として説明するが、来訪者への日程調整の依頼情報などのデータの送信先情報となるものであれば、メールアドレスのほか、ショートメール、チャットツールなどの送信先情報などであってもよい。また、担当者の識別情報は、社員番号や氏名などであってもよい。
【００２６】
図３に示すように、スケジュール情報の表示画面上には、新規スケジュールを入力するための、来訪者のメールアドレスに相当する「お客様のメールアドレス」を入力する入力フォームと、スケジュール情報を示すカレンダー上から新規スケジュールの候補が選択された日時を表示する「選択した日時」を表示する表示フォームと、「内容を確認する」確認画面の生成を指示するアイコンとが表示されている。担当者端末３００は、スケジュール情報の表示画面から来訪者のメールアドレスを入力したり、スケジュール情報を示すカレンダー上からスケジュールの候補を選択入力したりすることでデータを入力し、受付部２１１は、担当者端末３００から入力されたデータを受け付ける。
【００２７】
また、図５は、本実施形態における他のスケジュール情報の入力画面例である。図３に示したスケジュール情報の入力画面例においては、担当者端末３００によりスケジュール情報を示すカレンダー上からスケジュールの候補が選択入力されることにより、新規スケジュールの候補日時が入力された。これに対し、図５に示す入力画面では、担当者が希望する候補曜日や、候補時間、往訪予定前後の空き時間または来訪予定前後の空き時間、会議室などを入力することにより、候補日時の検索条件の指定が受け付けられる。
【００２８】
また、受付部２１１は、来訪者の訪問受付の入力を受け付けたり、来訪者の担当者端末３００から来訪を示すメッセージを受信したり、連携する他のシステムから来訪者の来訪を示すメッセージを受信したりすることで、当該来訪情報の入力を受け付ける。
【００２９】
ここで「来訪情報」とは、来訪者が来訪した事を示す情報であり、来訪履歴となるものである。来訪情報は、例えば、来訪者名、来訪者の会社名、来訪受付日時、来訪を受け付けた場所情報（例えば、来訪者の位置情報により来訪を受け付けたのか、入館ゲート装置で来訪を受け付けたのか、又は、受付用の受付端末４００で来訪を受け付けたのか等を示す情報）等を含んで構成してもよい。来訪情報は、訪問予約情報の一部として構成してもよい。
【００３０】
取得部２１２は、スケジュール管理サーバ１００などの外部装置から各種データを取得する。例えば、取得部２１２は、担当者端末３００から日程調整の作成指示を受け付けた場合に、スケジュール管理サーバ１００から担当者端末３００のユーザである担当者のスケジュール情報を取得する。また、取得部２１２は、外部装置受付部２１１により受け付けられた担当者端末３００や、来訪者端末５００からの入力や指示に応じて、記憶部２３０から各種データを取得する。例えば、取得部２１２は、担当者端末３００から日程調整の作成指示を受け付けた場合、スケジュール管理サーバ１００からスケジュール情報を取得する。ここで、日程調整の作成指示とは、会議や面談などの日程調整を作成する指示のことであり、会議の候補日時や人数などが含まれる。担当者端末３００は、受付管理装置２００に対して受付管理装置２００により管理される受付管理画面（図示せず）にアクセスし、日程調整の作成指示を入力する。取得部２１２は、受付部２１１により日程調整の作成指示の入力が受け付けられると、スケジュール管理サーバ１００からスケジュール情報を取得し、入出力制御部２１６および送受信部２１７を介して、担当者端末３００において表示可能なスケジュール情報の表示画面を出力する。
【００３１】
また、取得部２１２は、日程調整の作成指示により、会議予約情報データベース２３２の会議予約情報から、会議の候補日時および人数に応じた空き会議室に関する情報を取得する。なお、取得部２１２は、日程調整の作成指示により空き会議室に関する情報を取得する。しかし、来訪者端末５００への依頼情報の送信時や来訪者端末５００からの確定通知の受信時のタイミングにおいて日程調整の作成指示における空き会議室が既に予約済みとなっている場合には、取得部２１２は、各タイミングにおいて空いている会議室を再検索して再度空き会議室に関する情報を取得することとしてもよい。
【００３２】
抽出部２１３は、受付部２１１により複数の担当者の識別情報の入力を受け付けられた場合に、スケジュール管理サーバ１００から、各担当者のスケジュール情報を取得し、複数の担当者の識別情報が示す担当者全てに共通してスケジュールの予約が入っていない候補日時を抽出し、マッチングする。また、抽出部２１３は、マッチングした候補日時を担当者端末３００にリコメンドの候補日時として出力する。
【００３３】
また、抽出部２１３は、受付部２１１により来訪者のメールアドレスの入力が受け付けられた場合に、当該メールアドレスが受付管理システム１のユーザのメールアドレスとして登録されているか否かを判定し、登録されていると判定した場合、担当者と来訪者のスケジュール情報から候補日時をマッチングする。具体的には、抽出部２１３は、担当者と来訪者のスケジュール情報から、両者の空きスケジュールを抽出し、複数の候補日時をマッチングする。
【００３４】
生成部２１４は、日程調整の依頼情報の表示画面とその確認画面、日程調整の確定画面、会議予約の確定通知画面、受付コードの表示情報などを生成する。ここで、日程調整の依頼情報とは、受付部２１１により受け付けられた会議予約の候補日時と、取得部２１２により取得された会議室名と、当該候補日時における日程調整を含む日程調整を依頼する文面を含む情報である。
【００３５】
日程調整の確認画面とは、日程調整の依頼情報を来訪者端末５００に送信する前に担当者端末３００に送信される確認用画面である。会議予約の確定通知画面とは、来訪者端末５００により会議予約の確定通知が送信された日程と、受付コードを含む会議の日程調整の確定を通知する画面である。図１２（ｂ）の「受付コードを入力してください」という表示の下の入力フォームには、受付コード「３１２７５６」が表示されている。
【００３６】
図６は、候補日時の確認画面の一例を示す図である。図６が示す候補日時の確認画面では、受付部２１１により受け付けられた来訪者のメールアドレスである「お客様のメールアドレス」、候補日時となる「選択した日時」、会議室の場所を示す「打合せ場所」、および「備考」などの情報が、来訪者端末５００への送信指示を受け付ける「候補日時を確定し、お客様に送信する」というアイコンとともに表示されている。生成部２１４は、候補日時の確認画面の表示情報を生成する。
【００３７】
図７は、日程調整の依頼情報の表示画面例を示す図である。図７に示す日程調整の依頼情報の表示画面では、「＜〇〇社＞アポイントメントの日程調整をお願いします」というメールのタイトルが表示され、本文には、来訪者の社名と名前、日程調整を依頼した担当者の情報である「＜ホスト企業名＞」、「＜ホスト氏名＞」、「＜ホストｅｍａｉｌ＞」、候補日時の表示画面のＵＲＬ「＜アポ調整ＵＲＬ＞」として、「ｈｔｔｐｓ:／／ｗｗｗ／Ａａｂｃｄｅｆｇ.ｃｏｍ」が表示されている。
【００３８】
図８は、日程調整の確定画面の一例を示す図である。図８に示す日程調整の確定画面では、「下記の日時から都合の良いスケジュールを１つ選択し、あなたの会社、お名前を入力し、アポイントメントを確定してください。」という文面が表示されている。また、当該文面の下に、担当者端末３００から選択が受け付けられた日時を、「ホストからの候補スケジュール」として「４／２８（土）、５／１（火）、５／５（土）」が、時間と会議室名として「１０：３０ＡＭ-０１:００ＰＭ会議室-８Ｆ-Ｏｐｅｎ１（入口側）、０７：３０ＡＭ-０８:３０ＡＭ会議室-８Ｆ-Ｏｐｅｎ１（入口側）、０９：３０ＡＭ-１０:３０ＡＭ会議室-８Ｆ-Ｏｐｅｎ１（入口側）」が表示され、それぞれに対応付けて日時と会議室名とが押下入力可能なフォームが表示されている。さらに、その下に、来訪者の名前と会社名の入力フォームと、日程調整の確定を指示するアイコン「アポイントメントを確定し、担当者に通知する」が表示されている。
【００３９】
図９は、日程の確定通知画面の一例を示す図である。図９に示す日程の確定通知画面では、「会議予定日時の確定通知と受付コードが届いています。」という文面とともに、確定した会議の日時と場所、受付コードが表示されている。さらに、これらの内容を確認した旨の通知を送信指示するアイコン「上記の内容を確認しました。」が併せて表示されている。
【００４０】
また、生成部２１４は、来訪者が複数である場合、送受信部２１７により最初に希望候補通知を送信した来訪者端末５００から順次、希望候補通知を受信した場合に、依頼情報が示す候補日時のうち希望候補日時に含まれない候補日時を削除し、依頼情報を更新する。ここで、希望候補通知とは、希望候補日時を示す通知のことであり、希望候補日時とは、依頼情報に含まれる候補日時のうちの、来訪者にとっての複数の希望の候補日時を示す。
【００４１】
また、生成部２１４は、来訪者も受付管理システム１のユーザである場合に、出部２１３により、候補日時が複数マッチングされた場合に、マッチングされた複数の候補日時を担当者に通知する通知画面を生成し、来訪者には、担当者により承諾された候補日時を含む日程調整の依頼情報を生成する。
【００４２】
受付処理部２１５は、送受信部２１７を介して、来訪者端末５００から確定通知を受信した場合に、担当者のスケジュール情報、会議室情報、訪問予約情報を更新する。また、受付処理部２１５は、担当者端末３００からスケジュール情報、会議予約情報、訪問予約情報などの新規入力、変更、削除などの指示を、受付部２１１を介して受け付けた場合に、指示に応じてスケジュール情報、会議予約情報、訪問予約情報を更新する。
【００４３】
また、受付処理部２１５は、送受信部２１７により、複数の来訪者端末５００のうち最後に依頼情報へのアクセス情報にアクセスした端末から、確定通知を受信した場合に、当該確定通知が示す候補日時における空き会議室を予約登録する。そして、受付処理部２１５は、担当者全員のスケジュール情報、会議室情報、訪問予約情報を更新する。
【００４４】
また、受付処理部２１５は、訪問予約情報が示す予約時間を所定時間経過した時点で、送受信部２１７により来訪メッセージを受信しない場合に、会議室予約情報に登録されている会議室の予約をキャンセル処理する。例えば、所定時間は１５分などが定められている。
【００４５】
入出力制御部２１６は、担当者端末３００や、来訪者端末５００により受付管理システム１にアクセスされた場合に、各種データを担当者端末３００や、来訪者端末５００との間で入出力可能なデータに変換し入出力する。
【００４６】
送受信部２１７は、担当者端末３００、来訪者端末５００、または他の外部装置（図示せず）などとの間において、通信部２２０を介して、各種データを送受信する。例えば、送受信部２１７は、来訪者端末５００に日程調整の依頼情報や、依頼情報にアクセス可能なリンク情報などを送信する。また、送受信部２１７は、依頼情報が送信される来訪者が複数である場合には、複数の来訪者端末５００から順次、依頼情報に含まれる候補日時の中から選択された複数の希望候補通知を受信する。また、送受信部２１７は、受付端末４００から来訪者の来訪を示す来訪メッセージを受信する。
【００４７】
通信部２２０は、通信回線や電話回線等に接続されるアンテナやルータ等の通信装置（図示せず）に接続されるインターフェースである。すなわち、通信部２２０は、担当者端末３００や、来訪者端末５００等のような外部装置と通信回線を介してデータを通信する機能を有している。
【００４８】
次に、担当者端末３００の機能構成について説明する。図１０は、本実施形態における担当者端末３００の機能構成の一例を示すブロック図である。図１０に示すように、担当者端末３００は、記憶部３２０と、制御部３３０と、出力部３４０と、入力部３５０と、通信部３６０とを備える。
【００４９】
記憶部３２０は、各種データを記憶する。例えば、記憶部３２０は、担当者の業務上の資料、アドレス帳、その他各種資料などを記憶する。また、会議室予約情報や、訪問予約情報は、受付管理装置２００の記憶部２３０に記憶される構成としたが、これに限定されず、担当者端末３００の記憶部３２０に記憶される構成としてもよい。
【００５０】
制御部３３０は、受付部３３１と、取得部３３２と、入出力制御部３３３と、送受信部３３４とを備える。
【００５１】
受付部３３１は、入力部３５０から入力された各種データや、送受信部３３４を介して受付管理装置２００など外部装置から受信したデータなどを受け付ける。例えば、受付部３３１は、入力部３５０から入力された日程調整の作成指示や、来訪者のメールアドレス、担当者による指定日時における空き会議室の検索指示などを受け付ける。
【００５２】
取得部３３２は、記憶部３２０や外部装置などから各種データを取得する。例えば、記憶部３２０に来訪者のメールアドレスを含むアドレス帳が記憶されていた場合、入力部３５０からの操作入力に応じて来訪者のメールアドレスを記憶部３２０から取得する。
【００５３】
入出力制御部３３３は、入力部３５０と制御部３３０の間、また、出力部３４０と制御部３３０の間において入出力されるデータを処理可能なデータに変換する。
【００５４】
出力部３４０は、表示出力部３４１と、音声出力部３４２とを備え、制御部３３０の制御に従って、担当者端末３００に各種情報を出力する機能を有する。
【００５５】
表示出力部３４１は、制御部３３０の制御に従って、受付管理装置２００から送信された出力情報等を表示する機能を有する。表示出力部３４１は、具体的には、例えば、担当者端末３００に備わるＬＣＤ（Ｌｉｑｕｉｄ  Ｃｒｙｓｔａｌ  Ｄｉｓｐｌａｙ）ディスプレイ、ＬＥＤ（Ｌｉｇｈｔ  Ｅｍｉｔｔｉｎｇ  Ｄｉｏｄｅ）ディスプレイ、ＯＬＥＤ（Ｏｒｇａｎｉｃ  Ｌｉｇｈｔ  Ｅｍｉｔｔｉｎｇ  Ｄｉｏｄｅ）ディスプレイ等を用いればよい。
【００５６】
表示出力部３４１の表示画面は、例えば、ＨＴＭＬ（Ｈｙｐｅｒ  Ｔｅｘｔ  Ｍａｒｋｕｐ  Ｌａｎｇｕａｇｅ）などのマークアップ言語や、ビットマップデータあるいは圧縮処理された画像データなど、担当者端末３００で画面表示可能な一般的なデータ形式で生成されればよい。
【００５７】
入力部３５０は、制御部３３０の制御に従って、担当者からの入力を受け付ける機能を有する。入力部３５０は、具体的には、例えば、日程調整の作成指示や、来訪者のメールアドレスなどの入力を受け付けてもよい。
【００５８】
表示入力部３５１は、制御部３１０の制御に従って、担当者からの操作入力を受け付ける機能を有する。表示入力部３５１は、具体的には、タッチパネル等のソフトキーあるいはハードキーにより実現される。表示入力部３５１は、制御部３３０の制御に従って入力情報を生成し、通信部３６０を介して、受付管理装置２００に送信する。
【００５９】
音声入力部３５２は、制御部３１０の制御によって、担当者等の音声を入力して受け付ける機能を有する。音声入力部３５２は、具体的には、例えば、端末装置３００に内蔵されるマイクを用いて音声を入力してもよい。音声入力部３５２は、具体的には、例えば、表示入力部３５１が表示入力する内容を、音声で入力してもよい。
【００６０】
音声出力部３４２は、制御部３３０の制御によって、出力情報を音声出力する機能を有する。音声出力部３４２は、具体的には、例えば、担当者端末３００に内蔵されるスピーカーを用いて音声を出力してもよい。音声出力部３４２は、具体的には、例えば、表示出力部３４１が表示する。
【００６１】
通信部３６０は、通信回線や電話回線等に接続されるアンテナやルータ等の通信装置（図示せず）に接続されるインターフェースである。すなわち、通信部３６０は、受付管理装置２００や、来訪者端末５００等のような外部装置と通信回線を介してデータを通信する機能を有している。
【００６２】
次に、来訪者端末５００の機能構成については、担当者端末３００と機能構成と同様であるため説明を省略するが、例示として、担当者端末３００の受付部３３１において、受け付けられる入力は日程調整の作成指示などであったが、来訪者端末５００では、日程調整の確定画面などの情報が受け付けられることとなる。
【００６３】
次に、受付端末４００の機能構成について説明する。図１１は、本実施形態における受付端末４００の機能構成の一例を示すブロック図である。図１１に示すように、受付端末４００は、記憶部４１０と、制御部４２０と、通信部４３０と、出力部４４０と、入力部４５０とを含んで構成される。受付端末４００は、担当者端末３００と同様の構成のため説明を省略するが、受付端末３００と同様の構成に加えて、異なる構成として、次に、受付部４２１と、入力部４５０と、表示入力部４５１のみ説明する。
【００６４】
受付部４２１は、来訪者から来訪時における受付処理に関する受付コードなどの受付情報の入力を受け付ける。図１２は、本発明の実施の形態に係る受付端末４００において表示される画面例を示す画面図である。図１２（ａ）に示すように、入出力制御部４２３は、表示出力部４４１において、「受付コードを入力する」、「担当者の名前を検索する」、「面接の方はこちら」、「投資家の方はこちら」、「総合受付」、「配達業者さま専用」、といったように来客状況に合わせた訪問受付の入力ボタンを表示する。例えば、来訪者により「受付コードを入力する」ボタンが押下されると、図１２（ｂ）に示す受付コードの入力画面が表示される。受付部４２１は、受付コードの入力画面から受付コードの入力を受け付ける。
【００６５】
具体的には、図１２（ｂ）で示すように、「受付コードを入力する」ボタンが押下されると、受付端末４００の表示出力部４４１において、受付コードを入力する画面が表示される。図１２（ｂ）に示すように、日程調整の確定通知において来訪者に送信された受付コードが入力されて実行ボタン（横矢印が表記された下部に示されたボタン）が押下されると、受付部４２１は、受付コードの入力を受け付ける。
【００６６】
図１２（ｃ）に示すように、受付コードの入力が受け付けられると、入力された受付コードに紐づく訪問予約情報が受付管理装置２００の記憶部２３０または受付端末４００の記憶部４１０から取得され、取得された訪問予約情報の予約日時、会議目的、担当者が表示出力部４４１に表示される。ここで下部に示された「以上の担当者を呼び出します。よろしいでしょうか？」と表示されたメッセージの下の「ＯＫ」ボタンが押下されると、表示入力部４５１において、来訪者からの訪問受付の入力が受け付けられるとともに、受付管理装置２００と担当者端末３００には、来訪者の訪問受付の入力が受け付けられた旨の通知である来訪メッセージが送信される。
【００６７】
入力部４５０は、制御部４２０の制御に従って、来訪した事を示す来訪情報の入力を受け付ける機能を有する。入力部４５０は、具体的には、（１）来訪者の訪問受付の入力を受け付けたり、（２）来訪者端末５００から送信された来訪を示すメッセージを受信したり、（３）連携する他のシステムから来訪者の来訪を示すメッセージを受信することで、当該来訪情報の入力を受け付ける。
【００６８】
次に、来訪者が受付管理システム１に登録されたユーザでない場合における、受付管理装置２００と、担当者端末３００と、顧客端末５００とによる会議日時の調整処理について説明する。図１３は、受付管理装置２００と、担当者端末３００と、顧客端末５００とによる会議日時の調整処理の流れを示すシーケンス図である。
【００６９】
担当者端末３００は、受付管理装置２００に日程調整の作成指示を送信する(ステップＳ１)。具体的には、担当者端末３００は、受付管理装置２００の管理画面から日程調整の作成画面にアクセスする。受付管理装置２００は、担当者端末３００のユーザ、すなわち担当者のスケジュール情報をスケジュール管理サーバ１００から取得する(ステップＳ２)。ここで、受付管理装置２００は、会議室情報も会議室情報データベース２３２から取得する。また、会議主催者としての担当者が複数である場合には、担当者端末３００により他の担当者の識別情報が入力され、受付管理装置２００は、当該他の担当者の識別情報が示す担当者のスケジュール情報も取得することとなる。
【００７０】
受付管理装置２００は、ステップＳ２において取得したスケジュール情報を基に日程調整の作成画面の表示情報を生成し、担当者端末３００に出力する（ステップＳ３）。ここで、受付管理装置２００は、ケジュール情報とともに、会議室予約情報が示す空き会議室を示す表示情報も生成し、出力する。なお、会議主催者としての担当者が複数である場合には、すべての担当者のスケジュール情報の表示情報が生成されることとなる。担当者端末３００は、日程調整の作成画面に来訪者のメールアドレスの入力を受け付けるとともに、ステップＳ３において生成されたスケジュール情報の表示情報が示すスケジュールから、日程調整の候補日時の選択を受け付ける（ステップＳ４）。担当者端末３００から会議の候補日時および会議参加者の人数を受け付け、これらの条件に該当する空き会議室の選択も受け付けることとなる。また、会議主催者として担当者が複数存在する場合には、担当者端末３００は、当該担当者と他の担当者に共通の候補日時を選択することとなる。さらに、ステップＳ４において、来訪者が複数である場合には、複数の来訪者のメールアドレスが入力される。また、受付管理装置２００は、入力を受け付けたメールアドレスが受付管理システム１のユーザであるか否かを判定する。
【００７１】
受付管理装置２００は、ステップＳ４において入力を受け付けたメールアドレスが受付管理システム１のユーザでないと判定した場合、ステップＳ４において選択された日程調整の候補日時をもとに、ステップＳ４において入力された来訪者アドレスに宛ての日程調整の依頼情報を生成する（ステップＳ５）。受付管理装置２００は、ステップＳ５において生成した依頼情報の確認画面の表示情報を生成する（ステップＳ６）。
【００７２】
担当者端末３００は、ステップＳ６において生成された依頼情報の確認画面の表示情報が示す確認画面に対して、送信指示を送信する（ステップＳ７）。受付管理装置２００は、ステップＳ７において担当者端末３００から、送信指示を受信するとステップＳ５において生成した依頼情報を来訪者端末５００に送信する（ステップＳ８）。具体的には、受付管理装置２００は、来訪者端末５００からステップＳ４において担当者端末３００により選択された候補日時と会議室名を表示する表示画面を閲覧可能なＵＲＬなどのリンク情報を含む依頼情報を来訪者端末５００に送信する。なお、ステップＳ８の処理の時点において、ステップＳ３において選択が受け付けられた会議室が既に予約済みとなっている場合には、受付管理装置２００は、依頼情報に含まれる会議室名を、ステップＳ４において入力を受け付けた候補日時および会議参加者の人数の条件に合致する他の空き会議室名に変更した依頼情報を送信することとなる。また、来訪者が複数である場合、受付管理装置２００は、最初に希望候補日時を送信した来訪者端末５００から順次希望候補日時を受け付け、ステップＳ７において送信した候補日時から、来訪者端末５００により希望候補日時から除外された候補日時は削除する。そして、最後に送信した来訪者端末５００が１つの候補日時を含む確定通知を受付管理装置２００に送信することとなる。
【００７３】
受付管理装置２００は、来訪者端末５００により、ステップＳ８において受信した依頼情報に含まれるＵＲＬから、担当者端末３００により選択された候補日時を表示する表示画面にアクセスし、選択された日時を受け付ける（ステップＳ９）。受付管理装置２００は、ステップＳ９において来訪者端末５００から選択を受け付けた日時を含む来訪情報を担当者のスケジュール情報および訪問予約情報に付加し、担当者のスケジュール情報と会議室情報と訪問予約情報を更新する（ステップＳ１０）。なお、ステップＳ１０の処理の時点において、ステップＳ３において選択が受け付けられた、またはステップＳ８において変更された会議室が既に予約済みとなっている場合には、受付管理装置２００は、ステップＳ４において入力を受け付けた候補日時および会議参加者の人数の条件に合致する他の空き会議室に変更して会議室情報を更新することとなる。
【００７４】
受付管理装置２００は、ステップＳ１０において更新した訪問予約情報に基づいて、来訪者が担当者を訪問するための受付コードを生成する（ステップＳ１１）。受付管理装置２００は、担当者端末３００にステップＳ９において来訪者端末５００から選択を受け付けた日時の確定通知を送信し、来訪者端末５００には、当該確定通知にステップＳ１１において生成した受付コードを含めた確定通知を送信する（ステップＳ１２）。
【００７５】
次に、来訪者が受付管理システム１に登録されたユーザである場合における、受付管理装置２００と、担当者端末３００と、顧客端末５００とによる会議日時の調整処理について説明する。図１４は、受付管理装置２００と、担当者端末３００と、顧客端末５００とによる会議日時の調整処理の流れを示すシーケンス図である。
【００７６】
ステップＳ２１からステップＳ２３までは、図１３に示したフローチャートのステップＳ１からステップＳ３と同じであるため説明を省略する。
【００７７】
ステップＳ２４において、受付管理装置２００は、担当者端末３００から来訪者のメールアドレスの入力を受け付ける（ステップＳ２４）。受付管理装置２００は、担当者端末３００から入力を受け付けた来訪者のメールアドレスが受付管理システム１に登録されているユーザであると判定した場合、スケジュール管理サーバ１００から来訪者のスケジュール情報を取得する（ステップＳ２５）。
【００７８】
受付管理装置２００は、ステップＳ２２およびステップＳ２５において取得した担当者および来訪者のスケジュール情報をもとに、両者の空き日程を複数抽出し、候補日時として複数マッチングする（ステップＳ２６）。受付管理装置２００は、ステップＳ２６においてマッチングした複数の候補日時を担当者端末３００に送信する（ステップＳ２７）。担当者端末３００は、ステップＳ２７において受信した複数の候補日時の通知に対して承諾または修正の回答を送信する（ステップＳ２８）。例えば、担当者端末３００は、ステップＳ２７における候補日時の通知に対して、全て承諾する場合は、承諾する旨を、一部またはすべて不承諾である場合には、一部削除または再マッチング依頼、任意指定の日時を含む回答を送信する。
【００７９】
受付管理装置２００は、ステップＳ２８において担当者端末３００から受信した回答をもとに依頼情報を生成する(ステップＳ２９)。具体的には、ステップＳ２８において担当者端末３００から受信した回答が示す候補日時を示すＵＲＬを生成する。受付管理装置２００は、ステップＳ２８において生成した依頼情報を来訪者端末５００に送信する（ステップＳ３０）。来訪者端末５００は、確定通知を送信する（ステップＳ３１）。具体的には、来訪者端末５００は、ステップＳ３０において受信した依頼情報が示すＵＲＬにアクセスし、希望の一の日時を選択する。また、当該選択によりスケジュール管理サーバ１００が管理する来訪者および担当者のスケジュール情報が更新される。受付管理装置２００は、ステップＳ３１において来訪者端末５００から選択を受け付けた日時を含む来訪情報を訪問予約情報に付加し、会議室情報と訪問予約情報を更新する（ステップＳ３２）。受付管理装置２００は、ステップＳ３２において更新した訪問予約情報に基づいて、来訪者が担当者を訪問するための受付コードを生成する（ステップＳ３３）。受付管理装置２００は、ステップＳ３３において生成した受付コードを来訪者端末５００に送信する（ステップＳ３４）。
【００８０】
図１４は、本実施形態における受付管理装置２００を実現可能なコンピュータ２０の一例を示すハードウェア構成図である。図１４に示すように、コンピュータ２０は、ＣＰＵ（Ｃｅｎｔｒａｌ  Ｐｒｏｃｅｓｓｉｎｇ  Ｕｎｉｔ）２１、ＲＡＭ（Ｒａｎｄｏｍ  Ａｃｃｅｓｓ  Ｍｅｍｏｒｙ）２２、ＲＯＭ（Ｒｅａｄ  Ｏｎｌｙ  Ｍｅｍｏｒｙ）２３、ＨＤＤ（Ｈａｒｄ  Ｄｉｓｋ  Ｄｒｉｖｅ）２４、通信インターフェース（Ｉ／Ｆ）２５、入出力インターフェース（Ｉ／Ｆ）２６、およびメディアインターフェース（Ｉ／Ｆ）２７を備える。
【００８１】
ＣＰＵ２１は、ＲＯＭ２３またはＨＤＤ２４に格納されたプログラムにより動作し、各部の制御を行う。ＲＯＭ２３は、コンピュータ２０の起動時にＣＰＵ２１によって実行されるブートプログラムや、コンピュータ２０のハードウェアに依存するプログラム等を格納する。
【００８２】
ＨＤＤ２４は、ＣＰＵ２１によって実行されるプログラムおよび当該プログラムによって使用されるデータ等を格納する。通信インターフェース２５は、通信回線を介して外部機器から受信したデータをＣＰＵ２１に送り、ＣＰＵ２１が生成したデータを、通信回線を介して外部機器に送信する。
【００８３】
ＣＰＵ２１は、入出力インターフェース２６を介して、ディスプレイやプリンタ等の出力装置、および、キーボードやマウス等の入力装置を制御する。ＣＰＵ２１は、入出力インターフェース２６を介して、入力装置からデータを取得する。また、ＣＰＵ２１は、生成したデータを、入出力インターフェース２６を介して出力装置へ出力する。
【００８４】
メディアインターフェース２７は、記憶媒体２８に格納されたプログラムまたはデータを読み取り、ＲＡＭ２２を介してＣＰＵ２１に提供する。ＣＰＵ２１は、当該プログラムを、メディアインターフェース２７を介して記憶媒体２８からＲＡＭ２２上にロードし、ロードしたプログラムを実行する。記憶媒体２８は、例えばＤＶＤ（Ｄｉｇｉｔａｌ  Ｖｅｒｓａｔｉｌｅ  Ｄｉｓｃ）等の光学記憶媒体、磁気記憶媒体、または半導体メモリ等である。
【００８５】
コンピュータ２０が本実施形態における受付管理装置２００として機能する場合、コンピュータ２０のＣＰＵ２１は、ＲＡＭ２２上にロードされたプログラムを実行することにより、受付部２１１、取得部２１２、生成部２１４、受付処理部２１５、入出力制御部２１６、送受信部２１７の各機能を実現する。また、ＨＤＤ２４には、スケジュール情報データベース２３１、会議室予約情報データベース２３２、訪問予約情報データベース２３３内のデータが格納される。
【００８６】
受付管理プログラムは、インストール可能な形式又は実行可能な形式のファイルでＣＤ−ＲＯＭ、ＣＤ−Ｒ、メモリカード、ＤＶＤ（Ｄｉｇｉｔａｌ  Ｖｅｒｓａｔｉｌｅ  Ｄｉｓｃ）、フレキシブルディスク（ＦＤ）等のコンピュータで読み取り可能な記憶媒体に記憶されて提供される。コンピュータ２０のＣＰＵ２１は、これらのプログラムを、メディアインターフェース２７を介して上記の記憶媒体から読み取って実行するが、他の例として、外部装置から、通信回線を介してこれらのプログラムを取得してもよい。
【００８７】
なお、受付管理プログラムは、例えば、ＡｃｔｉｏｎＳｃｒｉｐｔ、ＪａｖａＳｃｒｉｐｔ（登録商標）、Ｐｙｔｈｏｎ、Ｒｕｂｙなどのスクリプト言語、Ｃ言語、Ｃ＋＋、Ｃ＃、Ｏｂｊｅｃｔｉｖｅ-Ｃ、Ｓｗｉｆｔ、Ｊａｖａ（登録商標）などのコンパイラ言語などを用いて実装できる。
【００８８】
このように、本実施形態における受付管理システム１によれば、会議設定のための予定調整から会議室予約および受付までの一連の手続きに伴うユーザおよび来訪者の手続負担を軽減し、スケジュールおよび受付の管理の効率化を図ることができる受付管理システム、受付管理装置、受付管理方法および受付管理プログラムを提供することができる。
【符号の説明】
【００８９】
１  受付管理システム
１００  スケジュール管理サーバ
２００  受付管理装置
２１０  制御部
２１１  受付部
２１２  取得部
２１３  抽出部
２１４  生成部
２１５  受付処理部
２１６  入出力制御部
２１７  送受信部
２２０  通信部
２３０  記憶部
３００、３００ａ、３００ｂ  担当者端末
３２０  記憶部
３３０  制御部
３４０  出力部
３４１  表示出力部
３４２  音声出力部
３５０  入力部
３５１  表示入力部
３５２  音声入力部
４００  受付端末
４１０  記憶部
４２０  制御部
４３０  通信部
４４０  出力部
４４１  表示出力部
４４２  音声出力部
４５０  入力部
４５１  表示入力部
４５２  音声入力部
５００、５００ａ、５００ｂ  来訪者端末
【図１】
2020003941.tif 000003
【図２】
2020003941.tif 000004
【図３】
2020003941.tif 000005
【図４】
2020003941.tif 000006
【図５】
2020003941.tif 000007
【図６】
2020003941.tif 000008
【図７】
2020003941.tif 000009
【図８】
2020003941.tif 000010
【図９】
2020003941.tif 000011
【図１０】
2020003941.tif 000012
【図１１】
2020003941.tif 000013
【図１２】
2020003941.tif 000014
【図１３】
2020003941.tif 000015
【図１４】
2020003941.tif 000016
【図１５】
2020003941.tif 000017